(57)【要約】【課題】ウェットシートを収納する容器をトイレットペーパ用のホルダの軸体に簡単に取り付けられるようにし、また容器内部を密閉できる構造とする。【解決手段】容器本体１１が第１の容器１１Ａと第２の容器１１Ｂに分離でき、前記容器本体１１の内部にウエットシート２がロール状とされたシートロール１が収納される。第１の容器１１Ａと第２の容器１１Ｂに、軸部１８が形成され、この軸部１８の内部に、外部に連通するが容器本体１１の収納空間３１には連しない支持空間３２が形成されている。この支持空間３２を軸体８に挿通させることにより、密閉状態の容器本体１１をホルダ５に取り付けることが可能である。【選択図】    図１
2004267390.tif 000002
【特許請求の範囲】
【請求項１】
ウエットシートがロール状に巻かれたシートロールが収納されるウエットシート収納容器において、
内部に前記シートロールが挿入される収納空間が形成された容器本体を有し、前記容器本体は少なくとも２つの部分に分離可能で、前記容器本体が分離された状態で、前記収納空間内に前記シートロールが挿入可能であり、
前記容器本体の内部には前記シートロールの中心孔が挿通される軸部が設けられ、前記軸部には、容器本体の外部と連通して軸方向に延びる支持空間が形成されていることを特徴とするウエットシート収納容器。
【請求項２】
前記容器本体は、前記軸部の軸方向に向けて分離可能で、分離された前記容器本体の前記収納空間内に、前記シートロールがその巻き軸の軸方向に向けて挿入可能であり、前記容器本体には、前記ウエットシートを引き出すための引出し口が形成されている請求項１記載のウエットシート収納容器。
【請求項３】
前記容器本体は、前記軸部の軸方向と直交する方向に向けて分離可能で、分離された前記容器本体の前記収納空間内に、前記シートロールとこのシートロールの中心孔に挿入された前記軸部とが挿入可能である請求項１記載のウエットシート収納容器。
【請求項４】
前記容器本体には、前記ウエットシートを引き出す引出し口が形成されている請求項３記載のウエットシート収納容器。
【請求項５】
前記引出し口を閉鎖する蓋体が設けられている請求項２または４記載のウエットシート収納容器。
【請求項６】
前記軸部の内部に形成された支持空間に、トイレットペーパーのホルダに設けられた軸体を挿入可能であり、前記容器本体の背部には、前記軸部の中心から所定の距離にある中間部と、前記軸部を中心とした軸回り方向において前記中間部を挟む両側に位置して前記中心からの距離が前記中間部よりも長い支持部が設けられており、この両支持部により容器本体の回り止め機能が発揮される請求項１ないし５のいずれかに記載のウエットシート収納容器。
【請求項７】
前記容器本体の外部においてトイレットペーパの巻き中心を支持可能なペーパ支持部が設けられている請求項１ないし６のいずれかに記載のウエットシート収納容器。
【発明の詳細な説明】
【０００１】
【発明の属する技術分野】
本発明は、ロール状に巻かれたウエットシートを収納するウエットシート収納容器に係り、例えばトイレットペーパのホルダなどに装着可能なウェットティッシュ収納容器に関する。
【０００２】
【従来の技術】
殺菌剤や洗浄剤または保湿剤などを含む薬液を含浸したウェットシートは、家庭内において頻繁に使用される。特にトイレットに設置するとおしり拭きや便器の清掃などに使用でき便利である。しかし、ウエットシートはトイレットペーパやドライなティッシュペーパとは異なり、薬液が乾燥しないように使用時以外は外気に触れないように容器の内部に密閉された状態で収納されていることが必要である。従来は、前記ウエットシートが六面体の箱形状の容器や円筒状の容器内に密閉された状態で収納されている。しかし、前記六面体の容器や円筒状の容器は、床の上や棚の上にしか設置できず、トイレットペーパのホルダに設置したり、またはトイレット以外の家庭内において壁面に掛けて設置することができない構造となっている。
【０００３】
そこで、以下の特許文献１には、ウエットティッシュを収納した容器をトイレットペーパホルダのカッターに取り付けるものや、ロール状のウエットティッシュを円筒形の容器に入れ、この容器の中心の軸孔をトイレットペーパに代えてホルダに装着するものが開示されている。
【０００４】
次に、以下の特許文献２には、ロール状のウエットティッシュが収納される密閉容器が用いられており、壁の取付面にねじ止めなどで固定した基台に前記密閉容器を嵌合して取り付けるものが開示されている。
【０００５】
【特許文献１】
特開２００１−９５７１８号公報
【特許文献２】
特開平０９−１４９８６３号公報
【０００６】
【発明が解決しようとする課題】
しかし、前記特許文献１に記載のように、容器をトイレットペーパのカッターに取り付けた構造では、容器の設置状態が不安定であり、容器内からティッシュペーパを取り出すときの力で、容器がカッターと一緒に上方へ回動してしまい、ティッシュペーパをうまく取り出すことができない欠点がある。また湾曲している形状のカッターに容器を差し込む操作が面倒であり、容器の設置と取り外しを簡単に行うことはできない。
【０００７】
また、前記特許文献１には円筒形の容器にロール状のウエットティッシュを収納して、この容器の軸孔をトイレットペーパホルダに取り付ける発明が開示されている。しかし、容器に単に軸孔を形成すると、この軸孔の部分で容器内の密閉度が損なわれ、内部のティッシュペーパが乾燥する問題がある。そこで、特許文献１では、ウエットティッシュロールを軟質フィルムに収容した状態で容器内に納めるものとして説明されている。しかし、軟質フィルムに収容したウエットティッシュロールを用いた場合、軟質フィルムに、ロール中心を貫通する孔を設けなくてはならず、容器内への収納が面倒である。また軟質フィルムに収容したウエットティッシュを容器内に入れた場合、容器内でロールが回転することができず、ウエットティッシュを容器の外部へ確実に取り出すのが困難である。さらに円筒形状の容器では、トイレットペーパホルダに設置したときに自由に回転してしまい、ティッシュペーパを取り出しにくい欠点もある。
【０００８】
また、前記特許文献２に記載の発明は、専用の基台を壁の取付面にねじなどで取り付けることが必要であるため、その取り付けが煩雑であるのみならず、基台を取り付けるために壁にねじ孔を空けることが必要であり、壁や壁紙などを損傷してしまう。
【０００９】
本発明は、上記従来の課題を解決するものであり、専用の取付用の基台を用いることなく、容器を簡単に設置でき、しかも容器内部の密閉度を常に維持できるウエットシート収納容器を提供することを目的としている。
【００１０】
【課題を解決するための手段】
本発明は、ウエットシートがロール状に巻かれたシートロールが収納されるウエットシート収納容器において、
内部に前記シートロールが挿入される収納空間が形成された容器本体を有し、前記容器本体は少なくとも２つの部分に分離可能で、前記容器本体が分離された状態で、前記収納空間内に前記シートロールが挿入可能であり、
前記容器本体の内部には前記シートロールの中心孔が挿通される軸部が設けられ、前記軸部には、容器本体の外部と連通して軸方向に延びる支持空間が形成されていることを特徴とするものである。
【００１１】
本発明のウエットシート収納容器では、容器を分離して内部にシートロールを収納し、前記支持空間を例えばトイレットペーパのホルダの軸体に挿通させることで、壁部に簡単に設置できる。前記支持空間は、容器の外部から軸部の内部に連通しているため、前記支持空間と収納空間を軸部によって区画でき、前記軸体が支持空間内に挿入される構造であっても、収納空間の密閉度を維持できる。よって、ウエットシートの乾燥を防止できる。また収納空間内でシートロールが軸部に装着されているため、収納空間内でシートロールが回転して、ウエットシートを取り出しやすい。
【００１２】
例えば、本発明は、前記容器本体は、前記軸部の軸方向に向けて分離可能で、分離された前記容器本体の前記収納空間内に、前記シートロールがその巻き軸の軸方向に向けて挿入可能であり、前記容器本体には、前記ウエットシートを引き出すための引出し口が形成されているものである。
【００１３】
この構造では、容器内にシートロールを軸方向へ向けて挿入する時点で、シートロールの中心孔を軸部に挿通させることができるため、容器内へシートロールを収納する操作が簡単である。
【００１４】
あるいは本発明は、前記容器本体は、前記軸部の軸方向と直交する方向に向けて分離可能で、分離された前記容器本体の前記収納空間内に、前記シートロールとこのシートロールの中心孔に挿入された前記軸部とが挿入可能とされているものである。
【００１５】
この構造では、シートロールを軸部に挿通して、シートロールと軸部を一緒に容器内に装着するものであるため、シートロールに手を触れることなく、軸部を保持して装着することも可能である。
【００１６】
この場合に、ウエットティッシュを使用する際に、容器を分離してシートロールを露出させ、この露出したシートロールから直接ウエットシートを引き出してもよいし、あるいは、前記容器本体には、前記ウエットシートを引き出す引出し口が形成され、容器を分離せずに前記引出し口からウエットシートを引き出してもよい。
【００１７】
また、前記引出し口を閉鎖する蓋体が設けられていると、収納空間に収納されたウエットシートの乾燥を防止できる。
【００１８】
また、本発明は、前記軸部の内部に形成された支持空間に、トイレットペーパーのホルダに設けられた軸体を挿入可能であり、前記容器本体の背部には、前記軸部の中心から所定の距離にある中間部と、前記軸部を中心とした軸回り方向において前記中間部を挟む両側に位置して前記中心からの距離が前記中間部よりも長い支持部が設けられており、この両支持部により容器本体の回り止め機能が発揮されるものとして構成できる。
【００１９】
この発明では、前記支持部がトイレットペーパホルダなどに当たることにより、容器本体の回り止めができ、ウエットシートを取り出す際に、容器本体が不用意に回動するのを防止できる。
【００２０】
また、本発明は、前記容器本体の外部においてトイレットペーパの巻き中心を支持可能なペーパ支持部が設けられているものである。
【００２１】
この発明では、容器本体をトイレットペーパのホルダに設置したときに、一緒にトイレットペーパも設置できるようになる。
【００２２】
【発明の実施の形態】
図１は本発明のウェットシート収納容器１０とこのウエットシート収納容器１０に収納されるシートロール１と、前記ウエットシート収納容器１０が取り付けられるトイレットペーパ用のホルダ５を示す分解斜視図、図２はウエットシート収納容器１０が前記ホルダ５に取り付けられた状態を、軸中心Ｏｘ−Ｏｘを含むＸ−Ｙ平面で切断した縦断面図、図３はＹ−Ｚ平面で切断した横断面図である。
【００２３】
前記ウエット収納容器１０は、容器本体１１を有している。前記容器本体１１は、第１の容器１１Ａと第２の容器１１Ｂに分離可能であり、その分離方向は前記軸中心Ｏｘ−Ｏｘに沿う方向である。
【００２４】
前記第１の容器１１Ａでは、トイレットペーパ用のホルダ５に向けられる背部壁１２と、使用者に向けられる前部壁１３と、上部壁１４と、底部壁１５および端部壁１６が連続して形成されており、前記端部壁１６と対向する側に開口部１７が形成されている。図２に示すように、前記第１の容器１１Ａの内部には、軸中心Ｏｘ−Ｏｘに沿って延びる軸部１８が設けられている。この軸部１８は前記端部壁１６と一体に形成されている。軸部１８は円筒形状であり、その内部には軸中心Ｏｘ−Ｏｘに沿って延びる中心孔１８ａが形成され、この中心孔１８ａは端部壁１６の外面に開口している。
【００２５】
第１の容器１１Ａの前記開口部１７では、前記背部壁１２、前部壁１３、上部壁１４および底部壁１５の外周から軸中心Ｏｘ−Ｏｘに向けて段差を介して形成された嵌合リブ１９が設けられている。
【００２６】
第２の容器１１Ｂは、軸中心Ｏｘ−Ｏｘに沿う方向の長さ寸法が第１の容器１１Ａよりも充分に短い。この第２の容器１１Ｂは、背部壁２２、前部壁２３、上部壁２４、底部壁２５および端部壁２６を有している。図２に示すように、第２の容器１１Ｂの内部には、前記端部壁２６から軸中心Ｏｘ−Ｏｘに向けて突出する軸部２８が一体に形成されており、この軸部２８の軸中心に形成された中心孔２８ａが、前記端部壁２６の外面に開口している。
【００２７】
第１の容器１１Ａと第２の容器１１Ｂは、図２に示すように嵌合することができる。この状態では、第２の容器１１Ｂの軸部２８が、第１の容器１１Ａの軸部１８の中心孔１８ａ内に嵌合し、第２の容器１１Ｂの背部壁２２、前部壁２３、上部壁２４、底部壁２５および端部壁２６が、第１の容器１１Ｂの前記嵌合リブ１９の外面に嵌合される。
【００２８】
前記のように組み立てられた容器本体１１では、前記軸部１８と軸部２８の外周に、各壁１２，１３，１４，１５，１６，２２，２３，２４，２５，２６で囲まれた収納空間３１が形成されている。前記嵌合構造によりこの収納空間３１は、外気と遮断されたほぼ密閉構造となる。また、前記嵌合構造では、前記第１の容器１１Ａの軸部１８の中心孔１８ａと、第２の容器１１Ｂの軸部２８の中心孔２８ａとが連通して支持空間３２が形成されている。この支持空間３２は、端部壁１６および端部壁２６のそれぞれの外面に開口して容器本体１１の外部と連通している。しかし、図２に示すように軸部１８と軸部２８とが嵌合しているため、支持空間３２と前記収納空間３１は軸部１８，２８により区画され、収納空間３１の密閉度が保てるようになっている。
【００２９】
図１および図３に示すように、第１の容器１１Ａの前部壁１３には、引出し口３５が開口している。図３に示すように、引出し口３５の周囲では、収納空間３１の内方に絞り口３６が開口している。この絞り口３６は、容器本体１１の正面をＺ方向から見たときに、その全体の面積よりも小さい開口面積、例えば前記全体の面積の１／２以下の開口面積を有している。この絞り口３６からウエットシートを引き出し、絞り口３６からウエットシートに抵抗を与えることにより、ウエットシートをパーフォレーション（ミシン目）の部分で切断しやすくなっている。
【００３０】
前記絞り口３６の前方には段差部３７が形成され、段差部３７の前方には蓋体４１が介入するための凹部３８が形成されている。前記蓋体４１は、前記凹部３８の内部において、下端部が軸４２により回動自在に支持されている。蓋体４１の内面には嵌合リブ４３が突出形成されている。図３に示すように蓋体４１が閉じられた状態で、前記嵌合リブ４３が前記段差部３７内に弾性変形して嵌合することにより、蓋体４１が不用意に開くことがなく、また蓋体４１で引出し口３５を閉鎖して収納空間３１内の密閉状態を維持できるようになっている。
【００３１】
図３に示すように、前記第１の容器１１Ａの背部壁１２および第２の容器１１Ｂの背部壁２２は、共にＸ−Ｙ平面と平行な平坦面となっている。その結果、前記背部壁１２，２２の外面には、軸中心Ｏｘ−Ｏｘからの距離Ｌ１が最も短い中間部１１Ｄが設けられ、前記軸中心Ｏｘ−Ｏｘを中心とした回り方向において前記中間部１１Ｄの両側に位置する部分に、軸中心Ｏｘ−Ｏｘからの距離Ｌ２，Ｌ３が最も長くなる支持部１１Ｅ，１１Ｆが設けられている。なお、前記距離Ｌ２とＬ３は等しくても等しくなくてもよいが、前記距離Ｌ１よりも長いことが必要である。
【００３２】
前記中間部１１Ｄの両側に支持部１１Ｅ，１１Ｆが設けられているため、この容器本体１１は自らの回り止め機能を発揮できるようになっている。
【００３３】
前記容器本体１１を形成している第１の容器１１Ａと第２の容器１１Ｂ、および蓋体４１は、ポリプロピレン樹脂（ＰＰ），ポリエチレン樹脂（ＰＥ），ポリスチレン樹脂（ＰＳ），アクリロニトリルブタジエンスチレン樹脂（ＡＢＳ），エラストマ−樹脂，ポリエチレンテレフタレート樹脂（ＰＥＴ），ポリ塩化ビニル樹脂（ＰＶＣ），ポリカーボネート樹脂などの合成樹脂材料によりインジェクション成型などにより形成される。
【００３４】
前記シートロール１は、ウエットシート２が巻かれたものであり、巻き中心には中心孔４が形成されている。またウエットシート２には、その長手方向に一定の間隔を空けてパーフォレーション（ミシン目）３が形成されており、必要に応じて前記パーフォレーション３の部分で切断して小分けできるようになっている。
【００３５】
ウエットシート２は、パルプを原料として湿式抄紙工程で形成された薄葉紙（ティッシュ）、またはパルプや再生セルロース繊維などから成る原料を湿式で抄紙した後にウォータジェット処理で繊維間を交絡させたスパンレース不織布などであり、好ましくは、水溶性または水膨潤性のバインダーを含むなどして水解性とされたものが使用される。または前記薄葉紙や不織布と、ポリビニルアルコール（ＰＶＡ）などの水溶性の樹脂フィルムとの複合シートであってもよい。
【００３６】
前記ウエットシート２は、蒸留水やアルコールを含む薬液を含浸した状態で、前記容器本体１１内に収納される。前記薬液には、用途に応じて殺菌剤、防黴剤、洗浄剤、保湿剤などが含まれる。薬液を含浸したウエットシート２は、何ら包装されることなく前記容器本体１１内に収納可能であるが、前記ウエットシート２が樹脂フィルムなどで形成されたドーナツ状の包装袋内に収納された状態で、前記包装袋の中心孔が前記軸部１８，２８に挿通されるようにして、容器本体１１内に収納させてもよい。
【００３７】
ウエットシート収納容器１０は、前記支持空間３２を支持することにより、どのような場所にも設置可能であるが、図１以下の実施の形態では、前記ウエットシート収納容器１０がトイレットペーパ用のホルダ５に取り付けられる例を示している。前記ホルダ５は、トイレットの壁面にねじ止めなどの手段で固定される固定板６と、この固定板６から延びる支持アーム７と、この支持アーム７に片持ちに固定された軸体８を有している。また軸体８の上方には、金属製のカバー・カッター９が設けられ、このカバー・カッター９の基端部９ａが、前記固定板６に回動自在に支持されている。
【００３８】
次に、前記ウエットシート収納容器１０の使用方法を説明する。
図１に示すように、第１の容器１１Ａと第２の容器１１Ｂを分離して、第１の容器１１Ａの開口部１７から、シートロール１をその巻き軸の軸方向に向けて挿入する。このとき、シートロール１の中心孔４が軸部１８の外周に挿通される。その後に、第２の容器１１Ｂを第１の容器１１Ａの開口部１７に嵌合させることにより、容器本体１１を密閉でき、収納空間３１内に液を含浸したシートロール１をほぼ密閉状態に収納できる。
【００３９】
前記容器本体１１の支持空間３２に、ホルダ５の軸体８を挿入することにより、ホルダ５に容器本体１１を支持させることができる。この支持状態は、図２と図３に示されている。
【００４０】
ウエットシート２を使用するときには、前部壁１３に設けられた蓋体４１を軸４２を支点として外側に向けて回動させて、引出し口３５を開口させる。ウエットシート２を前記引出し口３５から引き出すと、シートロール１が軸部１８，２８の周囲で回動するため、ウエットシート２をスムーズに引き出すことができる。ウエットシート２をパーフォレーション３の部分で切断するときには、引出し口３５から引き出したウエットシート２を上向きまたは下向きに角度を与えて引っ張る。ウエットシート２は絞り口３６を通過することにより絞り口３６から抵抗が与えられるとともに、絞り口３６の上縁または下縁に押し付けられることにより、パーフォレーション３の部分で容易に切断される。
【００４１】
このように、ウエットシート２を容易に切断するには、絞り口３６のＸ方向の開口幅寸法が、ウエットシート２のＸ方向の幅寸法よりも小さく、絞り口３６の開口寸法が、ウエットシート２の幅寸法の２／３以下であることが好ましい。
【００４２】
また引出し口３５からウエットシート２を引き出すときに容器本体１１が軸体８の回りで回動しようとするが、このとき容器本体１１の背部に設けられた支持部１１Ｅまたは１１Ｆが固定板６に当たることにより、容器本体１１が不用意に回動するのを防止できる。
【００４３】
前記ウエットシート収納容器１０の好ましい寸法を説明する。このウエットシート収納容器１０をトイレットペーパ用のホルダ５に脱落することなく確実に装着できるようにするためには、容器本体１１のＸ方向での幅寸法Ｗ（図２参照）が８０ｍｍ以上で１３０ｍｍ以下であることが好ましい。また、容器本体１１に形成された支持空間３２をホルダ５の軸体８に挿通できるようにするためには、前記支持空間３２の最小の内径寸法Ｄは１０ｍｍ以上で５０ｍｍ以下であることが好ましい。
【００４４】
また、図３に示すように、容器本体１１の背部の中間部１１Ｄと支持部１１Ｅ，１１Ｆが固定板６に対向するが、容器本体１１をホルダ５に確実に装着でき、しかも支持部１１Ｅ，１１Ｆによって回り止め機能を発揮させるためには、Ｌ１が８０ｍｍ未満で、Ｌ２とＬ３が８０ｍｍ以上に設定される。さらに好ましくは、Ｌ１が６０ｍｍ未満で、Ｌ２とＬ３が６０ｍｍ以上である。
【００４５】
以下本発明の他の実施の形態について説明するが、以下の実施の形態において、好ましい寸法等は前記第１の実施の形態と同じである。以下の実施の形態において実施の形態１と同様の構造部分には同じ符号を付してその詳しい説明を省略する。
【００４６】
図４（Ａ）（Ｂ）は第２の実施の形態を示すものであり、容器本体１１１の斜視図である。また図５は前記図４（Ａ）（Ｂ）に示す容器本体１１１がトイレットペーパ用のホルダ５に装着された状態を示す断面図である。
【００４７】
容器本体１１１は、第１の容器１１１Ａと第２の容器１１１Ｂとに分離可能であり、その分離方向は、軸中心Ｏｘ−Ｏｘ方向である。
【００４８】
図４（Ａ）（Ｂ）では、第１の容器１１１Ａと第２の容器１１１Ｂが共に円筒形状であり、その第１の容器１１１Ａの内部には軸部１８が、第２の容器１１１Ｂの内部には軸部２８が一体に形成されている。また第１の容器１１１Ａの前部に蓋体１４１が設けられ、この蓋体１４１を回動させることで引出し口３５を開放できるようになっている。この実施の形態においてもシートロール１を収納空間３１内にほぼ密閉状態で収納できる。
【００４９】
図４（Ａ）に示す実施の形態では、第１の容器１１１Ａの背部に一対のリブが設けられ、このリブに回り止め機能を発揮させるための中間部１１Ｄと支持部１１Ｅ，１１Ｆが形成されている。また図４（Ｂ）に示す実施の形態では、第２の容器１１１Ｂの背部にリブが一体に形成され、このリブに前記中間部１１Ｄと支持部１１Ｅ，１１Ｆが形成されている。
【００５０】
図６は本発明の第３の実施の形態の容器本体１１Ｇを示す図２と同じ断面図、図７は本発明の第４の実施の形態の容器本体１１Ｈを示す図２と同じ断面図である。
【００５１】
前記容器本体１１Ｇと１１Ｈは、外観が第１の実施の形態と同じであり、第１の容器１１Ａと第２の容器１１Ｂを有し、両容器１１Ａと１１Ｂが嵌合することにより、収納空間３１と支持空間３２が形成される。
【００５２】
図６に示す容器本体１１Ｇでは、第１の容器１１Ａに設けられた軸部１８が短く、第２の容器１１Ｂに設けられた軸部２８が長く、両容器１１Ａと１１Ｂとが嵌合したときに、軸部１８と軸部２８が嵌合して、支持空間３２と収納空間３１を区画できるようにしている。
【００５３】
図７に示す容器本体１１Ｈでは、第１の容器１１Ａの軸部１８と、第２の容器１１Ｂの軸部２８が共に短く、両軸部１８と２８の外周に別の中空軸部２９が嵌合して、中空軸部２９の中心に支持空間３２が形成される。
【００５４】
なお、さらに他の実施の形態として、シートロール１の中心孔４に予め円筒状の中空芯を設けてもよい。この中空芯を設けると、シートロール１を収納空間３１に収納した状態で、中空芯が、前記軸部１８または軸部２８あるいは中空軸部２９の外周に位置してシートロール１が回転しやすくなり、ウエットシート２を引き出しやすくなる。
【００５５】
図８は本発明の第５の実施の形態を示すものであり、容器本体２１１の斜視図である。
【００５６】
この容器本体２１１は、第１の容器２１１Ａと第２の容器２１１Ｂを有しているが、第１の容器２１１Ａと第２の容器２１１Ｂは、下部に設けられた薄肉のヒンジ部２１１Ｄを介して互いに回動自在に連結されており、軸中心Ｏｘ−Ｏｘと直交する方向に分離可能である。なお、前記ヒンジ部の代りに、第１の容器２１１Ａと第２の容器２１１Ｂの一方に軸が、他方に軸受けが形成されて、両容器が軸を支点として回動自在に連結されていてもよい。あるいはヒンジ部２１１Ｄや前記軸と軸受けを有しておらず、第１の容器２１１Ａと第２の容器２１１Ｂが完全に分離し、嵌合により組み立てられるものであってもよい。
【００５７】
第１の容器２１１Ａは、背部壁２１２、上部壁２１４、底部壁２１５、および端部壁２１６ａ，２２６ａを有する５面体の箱形状であり、前方に開口部２１７が設けられている。第２の容器２１１Ｂは、ほぼ円筒面形状の前部壁２１３と、端部壁２１６ｂ，２２６ｂを有している。前記前部壁２１３と端部壁２１６ｂ，２２６ａの縁部には嵌合リブ２１９が一体に形成されており、第２の容器２１１Ｂを第１の容器２１１Ａに組み合わせると、前記嵌合リブ２１９が、第１の容器２１１Ａの上部壁２１４と端部壁２１６ａ，２２６ａに嵌合して容器本体２１１の内部の密閉状態を保つことができる。
【００５８】
第１の容器２１１Ａの端部壁２１６ａ，２２６ａには半円形の凹部２１８ａ，２２８ａがそれぞれ形成され、第２の容器２１１Ｂの端部壁２１６ｂ，２２６ｂには半円形の凹部２１８ｂ，２２８ｂがそれぞれ形成されており、第１の容器２１１Ａと第２の容器２１１Ｂが組み合わされた状態で、両端部壁に円形の開口部が形成されるようになっている。
【００５９】
この容器本体２１１では、第１の容器２１１Ａおよび第２の容器２１１Ｂとは別体の軸部２２９が設けられており、この軸部２２９の内部に中心孔２２９ａが形成され、両端部の外周にはリング状のリブ２２９ｂ，２２９ｂが一体に形成されている。前記リブ２２９ｂ，２２９ｂが、端部壁２１６ａ，２１６ｂの内面および、端部壁２２６ａ，２２６ｂの内面に密着するように、軸部２２９の両端部２２９ｃ，２２９ｃを前記凹部２１８ａ，２１８ｂおよび凹部２２８ａ，２２８ｂ内に嵌合させることにより、容器本体２１１内に軸部２２９をほとんど隙間なく取り付けることができる。
【００６０】
第１の容器２１１Ａと第２の容器２１１Ｂおよび軸部２２９が組み合わせられた状態で、軸部２２９の外周に、ほぼ密閉状態の収納空間３１が形成され、また軸部２２９の中心孔２２９ａが容器の外部と連通する支持空間３２となる。
【００６１】
この容器本体２１１を用いるときは、第１の容器２１１Ａと第２の容器２１１Ｂを軸中心Ｏｘ−Ｏｘと直交する方向に向けて分離する。そしてシートロール１の中心孔４に前記軸部２２９を挿入し、シートロール１と軸部２２９を一緒に第１の容器２１１Ａの内部に挿入して、第２の容器２１１Ｂを第１の容器２１１Ａに嵌合させる。そして、前記軸部２２９の中心孔２２９ａである支持空間３２をトイレットペーパ用のホルダ５の軸体８に挿通させて設置する。
【００６２】
容器本体２１１からウエットシート２を取り出す方法として、図８に示すように第２の容器２１１Ｂを第１の容器２１１Ａから分離させて開口部２１７を開放させ、この開口部２１７から露出しているウエットシート２を引き出すことができる。このような使用方法とする場合、第２の容器２１１Ｂに引出し口を形成する必要はない。
【００６３】
ただし、図８に示す実施の形態では、第２の容器２１１Ｂの前部壁２１３に、図３の引出し口３５と同じ構造の引出し口２３５が形成され、また図３の蓋体４１と同じ構造の蓋体２４１が開閉自在に設けられている。この場合、蓋体２４１を前方へ回動させ、引出し口２３５からウエットシート２を取り出すようにする。
【００６４】
図８に示す実施の形態では、軸部２２９をシートロール１の中心孔４に挿入して、シートロール１と軸部２２９とを容器本体２１１に一緒に挿入することができる。このとき軸部２２９の両端部２２９ｃを指で保持し、あるいは中心孔２２９ａの内部に指を入れて保持することにより、液が含浸されたシートロール１に直接に手を触れることなく、シートロール１を容器本体２１１に収納させることができるため、シートロール１の清潔さを保つことができる。
【００６５】
図９は本発明の第６の実施の形態を示している。
図９に示す実施の形態の容器本体３１１は、基本的な構造が図１ないし図３に示す容器本体１１と同じであり、第１の容器１１Ａと第２の容器１１Ｂとが軸中心Ｏｘ−Ｏｘに向けて分離可能となっている。この容器本体３１１の第１の容器１１Ａの上部壁１４の表面には、支持部材３１１Ｅ，３１１Ｅが軸中心Ｏｘ−Ｏｘと直交する方向へスライド自在に設けられている。すなわち上部壁１４の表面にはＺ方向に延びる摺動溝１４ａ，１４ａが形成され、支持部材３１１Ｅ，３１１Ｅはこの摺動溝１４ａ，１４ａ内に摺動自在に嵌合している。
【００６６】
同様に、容器本体１１Ａの底部壁１５の表面にも支持部材３１１Ｆ，３１１ＦがＺ方向へ摺動自在に支持されている（支持部材３１１Ｆは図９では見えない位置にある）。そして、支持部材３１１Ｅ，３１１Ｅの先端が前記支持部１１Ｅ，１１Ｅとなり、支持部材３１１Ｆ，３１１Ｆの先端が前記支持部１１Ｆ，１１Ｆとなっている。
【００６７】
この容器本体１１Ａがトイレットペーパ用のホルダ５の軸体８に取り付けられたときに、前記支持部材３１１Ｅ，３１１Ｅおよび３１１Ｆ，３１１Ｆをスライドさせて、支持部１１Ｅ，１１Ｅ，１１Ｆ，１１Ｆをホルダ５の固定板６またはホルダ５が取り付けられている壁面に突き当てることにより、軸体８を中心とした容器本体３１１の回動動作を完全に防止することができる。
【００６８】
なお、前記支持部材３１１Ｅ，３１１Ｅおよび３１１Ｆ，３１１Ｆは、前記第１の実施の形態から第５の実施の形態においても同様に設けることができる。
【００６９】
さらに図９に示す実施の形態では、第１の容器１１Ａの端部壁１６と、第２の容器１１Ｂの端部壁２６に、下向きの支持アーム４０１，４０１が一体に形成され、あるいは取り付けられている。そして支持アーム４０１，４０１の下端に、フック４０２，４０２が一体に形成されている。図９に示すように、前記フック４０２，４０２に、ロール状に巻かれたトイレットペーパ５０１の中心コア５０１ａを嵌合させることにより、ウエットシート２とトイレットペーパ５０１とを併用することができる。
【００７０】
なお、前記第１の実施ないし第５の実施の形態のいずれにおいても、同様に前記支持アーム４０１とフック４０２を設けることができる。
【００７１】
【発明の効果】
以上のように、本発明では、ウエットシートを収納した容器本体を、トイレットペーパ用のホルダの軸体やその他のアームに簡単に取り付けることができる。容器本体に形成された支持空間は容器本体の外部とは連通しているが、この支持空間と収納空間とが区画されているため、支持空間を有する構造であっても内部の密閉性を確保でき、ウエットシートの乾燥を防止できる。
【図面の簡単な説明】
【図１】本発明の第１の実施の形態のウェットシート収納容器とシートロール、およびトイレットペーパ用のホルダを示す斜視図
【図２】図１に示す容器本体がホルダに取り付けられた状態を示す縦断面図、
【図３】図１に示す容器本体がホルダに取り付けられた状態を示す横断面図、
【図４】（Ａ）（Ｂ）は本発明の第２の実施の形態の容器本体を示す斜視図、
【図５】図４に示す容器本体がホルダに取り付けられた状態を示す横断面図、
【図６】第３の実施の形態の容器本体の縦断面図、
【図７】第４の実施の形態の容器本体の縦断面図、
【図８】本発明の第５の実施の形態の容器本体を示す斜視図、
【図９】本発明の第６の実施の形態の容器本体を示す斜視図、
【符号の説明】
１  シートロール
２  ウエットシート
５  ホルダ
８  軸体
１０  ウエットシート収納容器
１１，１１１，２１１  容器本体
１１Ａ，１１１Ａ，２１１Ａ  第１の容器
１１Ｂ，１１１Ｂ，２１１Ｂ  第２の容器
１１Ｄ  中間部
１１Ｅ，１１Ｆ  支持部
１８，２８，２２９  軸部
３１  収納空間
３２  支持空間
３５  引出し口
４１，１４１，２４１  蓋体
４０１  支持アーム
５０１  トイレットペーパ
【図１】
2004267390.tif 000003
【図２】
2004267390.tif 000004
【図３】
2004267390.tif 000005
【図４】
2004267390.tif 000006
【図５】
2004267390.tif 000007
【図６】
2004267390.tif 000008
【図７】
2004267390.tif 000009
【図８】
2004267390.tif 000010
【図９】
2004267390.tif 000011